(57)【要約】【課題】  集塵部に溜めることができる塵埃の量を増加でき、集塵カップから塵埃を捨てる頻度を少なくしつつ、高い吸引力を維持することのできる電気掃除機を提供する。【解決手段】  集塵カップ５には、上方の旋回部２２に形成された第１の排気口２５と接続された第１の排気経路２９と、下方の集塵部２３に形成され、前段にフィルタ３１を備えた第２の排気口３２と接続された第２の排気経路３４との合流部３５に切り替え弁３６を設け、該切り替え弁３６は、吸引時には第１の排気経路２９を開き、非吸引時には第２の排気経路３４を開くよう制御可能に構成する。【選択図】  図２
2005168996.tif 000002
【特許請求の範囲】
【請求項１】
吸込風を発生させる電動送風機を収納したケース体と、該ケース体に設けられた吸気口
と、前記吸気口から吸込んだ吸込風を旋回させる旋回部と、該旋回部にて吸込風から分離
された塵埃を溜める集塵部と、前記旋回部に形成された第１の排気口と、前記集塵部に形
成され、吸込風が流通する流路前段にフィルタを備えた第２の排気口と、前記第１の排気
口に接続された第１の排気経路と、前記第２の排気口に接続された第２の排気経路とを備
え、
第１の排気経路と第２の排気経路とを流通する吸込風量の比率を調節可能な調節手段を
設けたことを特徴とする電気掃除機。
【請求項２】
調節手段は、第１の排気経路と第２の排気経路とが合流して主排気経路となる合流部に
設けた切り替え弁であることを特徴とする請求項１記載の電気掃除機。
【請求項３】
吸気口に接続された吸込口体に形成された吸込口の接面状態と離面状態を判断する状態
判断手段を備え、該状態判断手段の判断に基づいて調節手段を制御するようにしたことを
特徴とする請求項１記載の電気掃除機。
【請求項４】
状態判断手段は吸込口の接面側に突出し、押圧すると収容される突出部から構成され、
該突出部の突出状態では吸込口が離面状態であると判断し、収容状態では吸込口が接面状
態であると判断するようにしたことを特徴とする請求項３記載の電気掃除機。
【請求項５】
状態判断手段は、吸込風量の変化によって吸込口の接面状態と離面状態を判断すること
を特徴とする請求項３記載の電気掃除機。
【請求項６】
状態判断手段は、圧力検出手段によって吸込風量の変化を検知するようにしたことを特
徴とする請求項５記載の電気掃除機。
【発明の詳細な説明】
【技術分野】
【０００１】
本発明は、複数の排気流路を備えたサイクロン式電気掃除機に関する。
【背景技術】
【０００２】
従来、サイクロン式電気掃除機本体１０１は、電動送風機１０２が作り出した吸込風に
よって図示しない吸込口から塵埃を吸引し、ホース１０３を通して旋回部１０４へ導入し
た後、図１６に示すように、旋回部１０４において空気を旋回させ、吸込風の中でも重い
塵埃は遠心力によって塵埃は空気と分離されるので、旋回部１０４の壁側を旋回して最終
的に集塵部１０５に運ばれていた。その一方で、空気は旋回部１０４上方に設けた排気口
１０６及び排気経路１０７を介して電気掃除機本体１０１外に排気されるという構造であ
った。（例えば、特許文献１参照）。
【０００３】
また、最近のサイクロン式電気掃除機２０１は、従来とは異なりフィルタ２０２付きの
排気口２０３が集塵部２０４に設けられており、塵埃を含んだ吸込風を旋回部２０５内に
おいて旋回させ、塵埃と空気に分離し、そのうちの塵埃は集塵部２０４に溜められる。そ
れとともに空気も集塵部２０４及びフィルタ２０２付きの排気口２０３及び排気経路２０
６を介して電気掃除機本体２０１外へ排気される構造が採用されている。
【特許文献１】特開２００２−５１９５２号公報（第３図，第３〜４頁）
【発明の開示】
【発明が解決しようとする課題】
【０００４】
しかしながら、上記した旋回部１０４に排気口１０６を設けた構成の場合、旋回部１０
４の排気口１０６が塵埃によって塞がれることがないので、大量の塵埃を吸込んだとして
も吸引力が減衰してしまうことがないという特徴を持つ一方で、集塵部１０５にはほとん
ど圧縮されずに塵埃が溜まっていくので、すぐに集塵部１０５が一杯になってしまい、使
用者が塵埃を捨てる頻度が多いという問題点を有していた。
【０００５】
そして、上記した集塵部２０４に排気口２０３を設けた構成の場合、空気が集塵部２０
４を通過する際に排気口２０３に設けたフィルタ２０２に塵埃を押し当てて圧縮すること
ができるという特徴を持つ一方で、空気は常に集塵部２０４を通過するため、集塵部２０
４に塵埃が一杯になるにつれてフィルタ２０２が塵埃によって目詰まりしたりして、吸引
力が低下し易いという問題点を有していた。
【０００６】
本発明は上述の問題点を解決するために、旋回部からの排気経路と集塵部からの排気経
路とを流通する吸込風量の比率を調節可能な構成とした電気掃除機を提供することを目的
とする。
【課題を解決するための手段】
【０００７】
上記目的を達成するために、本発明の電気掃除機は、吸込風を発生させる電動送風機を
収納したケース体と、該ケース体に設けられた吸気口と、前記吸気口から吸込んだ吸込風
を旋回させる旋回部と、該旋回部にて吸込風から分離された塵埃を溜める集塵部と、前記
旋回部に形成された第１の排気口と、前記集塵部に形成され、吸込風が流通する流路前段
にフィルタを備えた第２の排気口と、前記第１の排気口に接続された第１の排気経路と、
前記第２の排気口に接続された第２の排気経路とを備え、第１の排気経路と第２の排気経
路とを流通する吸込風量の比率を調節可能な調節手段を設けたことを主たる特徴とするも
のである。
【発明の効果】
【０００８】
本発明の電気掃除機によれば、吸引時には旋回部によって分離された塵埃は集塵部に堆
積し、分離後の吸気風は旋回部の排気口を通過して排気される一方で、非吸引時には吸込
風は集塵部のフィルタを有した排気口を通過して排気されるように、切り替え弁によって
旋回部からの排気経路と集塵部からの排気経路とを流通する吸込風量の比率を調節可能な
ため、長時間使用しても高い吸引力を維持できるとともに、塵埃を圧縮することができ、
延いては集塵部に溜まった塵埃を捨てる頻度を少なくすることができるという著効を奏す
る電気掃除機を提供するものである。
【発明を実施するための最良の形態】
【０００９】
（実施例１）
本発明の第１実施例を示す図１〜図７に基づいて説明する。まず、図１に示すように、
電気掃除機本体は、ケース体１と吸込部２とから構成されている。図２及び図３はケース
体１の縦断側面図である。図２に示すように、ケース体１内には、電動送風機３を内部に
収容する駆動室４と、集塵カップ５を載置する載置部６とが形成され、ケース体１の外郭
上面にはヒンジ７によって開閉可能に設けられた外蓋８が設けられている。そして、該外
蓋８を開成させることで、載置した集塵カップ５の取り出しを行うことができるようにな
っている。
【００１０】
一方、前記吸込部２はケース体１に接続される蛇腹状のホース部９と、該ホース部９に
接続された把手を備えたハンドル部１０と、該ハンドル部１０に嵌合して順に接続され、
接続することによって延長管１１となる２本の延長管１１ａ，１１ｂと、該延長管１１ｂ
の他端に嵌合接続され、吸込口１２を形成する吸込ブラシ１３から構成されている。これ
によって、吸込口１２からケース体１の集塵カップ５までの吸込流路が形成されている。
なお、延長管１１ａ，１１ｂは、ハンドル部１０から吸込ブラシ１３まで長さを調整する
ためのものであり、同一形状を有しているため、ハンドル部１０に接続する順番を替えて
使用することが可能である。
【００１１】
図２に示すように、駆動室４に設けた電動送風機３は、送風ファン１４と、送風ファン
１４を回転駆動する駆動装置１５と、送風ファン１４を覆うケーシング１６とから構成さ
れている。そして、送風ファン１４は駆動装置１５上方に位置して設けられ、図示しない
鉛直方向の回転軸を中心に回転駆動される。
【００１２】
また、該ケーシング１６の前方には後述する主排気経路と接続された導入口１７が形成
されており、ケーシング１６後方には吐出口１８が形成されている。該吐出口１８はケー
ス体１の排気部２０と導出路１９を介して接続されている。該排気部２０には、フィルタ
２１が装着されており、集塵カップ５を通過してしまった細かな塵埃を捕獲できるように
している。
【００１３】
図２に示すように、集塵カップ５は、下方になるほど僅かに半径の小さくなった円筒状
をなしており、後述する吸込風を集塵カップ５内で側壁に沿って旋回させ吸込風に含まれ
る塵埃の分離に供する旋回部２２と、塵埃を溜めておく集塵部２３とが一体に形成された
ものである。この旋回部２２前方の側壁外方に吸気口２７が設けられている。ホース部９
の一端には、フランジ部２６が設けられており、該フランジ部を吸気口２７に接続した状
態にてケース体１と吸込部２とが接続された状態になる。
【００１４】
以上構成により、駆動装置１５を駆動し、送風ファン１４を回転させることで、吸込風
が吸込口１２から取り入れられ、集塵カップ５，導入口１７，吐出口１８と流れて、排気
部２０からケース体１外へと排出される。
【００１５】
そして、吸気口２７には、吸込風を下方向へ導くガイド２４が形成されている。また、
旋回部２２の該ガイド２４と対向した後方側壁には、上方に第１の排気口２５が形成され
ている。集塵カップ５を載置部６に載置した状態にて、第１の排気口２５に対応して取込
口２８が載置部６の駆動室４側壁面に形成されており、該取込口２８を介して第１の排気
口２５は第１の排気経路２９と接続されている。
【００１６】
さらに、集塵カップ５の後方側壁には、第１の排気口２５の下方に位置して、フィルタ
３１を備えた第２の排気口３２が形成されている。載置部６の取込口２８下方には取込口
３３が設けられており、第２の排気口３２は取込口３３と接続されている。第２の排気口
３２は、載置部６の取込口３３を介して第２の排気経路３４と接続されており、第２の排
気経路３４は、合流部３５にて前記第１の排気経路２９と合流している。その合流部３５
から下流は主排気経路４９となっている。
【００１７】
該主排気経路４９はケーシング１６の導入口１７と接続されており、吸込風は主排気経
路４９からケーシング１６の吐出口１８及び導出路１９を介して排気部２０に達し、ケー
ス体１外へと排出される。
【００１８】
合流部３５には、吸込風を流通する流路としての第１の排気経路２９及び第２の排気経
路３４それぞれの吸込風流量を調節可能な調節手段たる切り替え弁３６を設けている。該
切り替え弁３６は、第１の排気経路２９又は第２の排気経路３４のどちらか一方を開いて
他方を閉じ、吸込風を流通する流路を選択する可能ことも可能である。
【００１９】
また、集塵カップ５には、カップの底を構成する開閉可能な蓋３０が設けられている。
集塵カップ５をケース体１から取り出した状態にて前記蓋３０を開くことにより、集塵部
２３に溜まった塵埃を除去することを可能にしている。
【００２０】
図４は、切り替え弁３６の拡大断面図である。図４に示すように、切り替え弁３６は、
合流部３５に形成した凹部３７に配設したヒンジ部３８と、このヒンジ部３８を中心に回
動可能な弁体３９とから構成されており、ヒンジ軸４０が凹部３７を貫通して設けられ、
凹部３７の外側に突出したヒンジ軸４０の一端に固定され、該ヒンジ軸４０から垂直方向
に伸びた棒状体４１の先端にギヤドモータ４２の金属線４３と接続されている。切り替え
弁３６は通常時第２の排気経路３４が閉じた状態にあり、ギヤドモータ４２が通電されて
ＯＮ状態になると、動作により金属線４３が引かれ、該金属線４３が棒状体４１の一端を
引っ張ることにより棒状体４１が回転し、ヒンジ軸４０の回転とともに弁体３９が回転駆
動し、第２の排気経路３４を開き、第１の排気経路２９を閉じた状態になる。そして、ギ
ヤドモータ４２がＯＦＦ状態になると、金属線４３が伸びて棒状体４１の一端を押して回
動させ、ヒンジ軸４０とともに弁体３９を回転駆動させ、再び第１の排気経路２９を開き
、第２の排気経路３４を閉じた状態になる。
【００２１】
図１に示したハンドル部１０には、図５に示すように操作パネル４４が周辺よりも僅か
に窪ませて設けられている。該操作パネル４４には、押圧する度に電源がＯＮ／ＯＦＦす
る「電源」キー４５と、塵埃の圧縮に供し、押圧することでＯＮ／ＯＦＦ可能な「圧縮」
キー４６とが縦に並設されている。また、「圧縮」キー４６の近傍には、「圧縮」キー４
６のＯＮ状態を点灯によって表すＬＥＤ４７が設けられている。
【００２２】
次いで、電気掃除機の電気的構成について、図６のブロック図に示して説明する。制御
回路４８は、操作パネル４４と電気的に接続されていて、操作パネル４４からの入力信号
に基づいて駆動装置１５の制御，ＬＥＤ４７の点滅，及びギヤドモータ４２の制御を行う
構成となっている。
【００２３】
上記した電気掃除機の作用につき、図７のフローチャートを用いて以下に説明する。図
１に示すようにケース体１にホース部９，２本の延長管１１，吸込ブラシ１３を接続した
状態にて、ハンドル部１０を握り、操作パネル４４上の「電源」キー４５を押すことによ
ってＯＮ状態になると、制御回路４８は駆動装置１５を動作させる（ステップ１）。駆動
装置１５は送風ファン１４を回動し、この送風ファン１４によって吸込口１２から集塵カ
ップ５を介して排気部２０に向けて流れる吸込風が発生する。この時、ギヤドモータ４２
はＯＦＦ状態であり、第１の排気経路２９は開かれているため（ステップ２）、吸込風は
吸込口１２から２本の延長管１１及びホース部９を通り、吸気口２７からガイド２４を介
して集塵カップ５に導入される。導入された吸込風は、ガイド２４の方向付け作用により
旋回部２２壁側を斜め下方へ向かって流れ、旋回部２２にて図２に示す矢印Ａのように旋
回する。ほとんどの塵埃はこの旋回による遠心力の作用により壁面近くを回転しながら空
気と分離される。そして、塵埃は自重によって落下して集塵部２３に堆積し、分離後の吸
込風旋回部２２の中央を抜けて第１の排気口２５から排気され、第１の排気経路２９及び
主排気経路４９を通ってケーシング１６内の送風ファン１４によって吐き出され、排気部
２０からケース体１外部へ排出される。この「電源」キー４５がＯＮである状態にてハン
ドル部１０を操作し、吸込ブラシ１３を床面につけながら移動させると、床面に落ちてい
る塵埃を吸い込むことができる。（以下、この状態を「吸引モード」と呼ぶことにする。
）
この電源のＯＮ状態で、例えば、長時間連続して使用している場合や吸引力が減ってき
たと感じる場合、使用者が自ら判断して「圧縮」キー４６を押すことにより（ステップ３
）、制御回路４８は合流部３５に設けられた切り替え弁３６を回動させ、第２の排気経路
３４が開き、第１の排気経路２９が閉じる（ステップ４）。これと同時に、ＬＥＤ４７も
制御回路４８によって通電制御され点灯する（ステップ５）。この第２の排気経路３４が
開いた状態である「圧縮モード」では、吸込風は、図３の矢印Ｂに示すように旋回部２２
内を旋回しながら、フィルタ３１を介して第２の排気口３２に吸い込まれ、第２の排気経
路３４及び主排気経路４９を通ってケース体１外部へと排気される。この状態では、集塵
部２３に堆積した塵埃は第２の排気口３２に向かって流れる吸気風によってフィルタ３１
に押し付けられて圧縮される。（以下、この状態を「圧縮モード」と呼ぶことにする。）
その後、ステップ６において使用者が「圧縮」キー４６を再び押しＯＦＦ状態にすると
、切り替え弁３６は回動制御され第１の排気経路２９が開き（ステップ７）、ＬＥＤ４７
も消灯し（ステップ８）、吸気風が第１の排気経路２９を通過する「吸引モード」に戻る
。
【００２４】
一方、ステップ６において、「圧縮」キー４６がＯＦＦされなかった場合には、ステッ
プ１１に進み、「電源」キー４５がＯＦＦされると、ステップ１０にて駆動装置１５は停
止して掃除終了となる。
【００２５】
また、ステップ３において「圧縮」キー４６が押されなければ、「吸引モード」は維持
され、そのままステップ９にて「電源」キー４５がＯＦＦされステップ１０にて駆動装置
１５が停止し掃除終了となる。
【００２６】
ステップ９において「電源」キー４５がＯＦＦされると、電動送風機３の駆動装置１５
が駆動を停止し（ステップ１０）、掃除終了となる。一方、ステップ９において「電源」
キー４５が押されなければ「吸引モード」は維持され、再びステップ３に戻って「圧縮モ
ード」が実行可能になる。
【００２７】
上記した第１実施例によれば、次の効果を奏する。吸引時には旋回部２２によって分離
された塵埃は集塵部２３に体積し、空気は旋回部２２の第１の排気口２５を通過して排気
され、吸引力が落ちた時などに使用者の判断によって、「圧縮モード」を選択することが
でき、適宜、必要に応じて集塵部２３に溜まった塵埃を圧縮することができるので、吸引
時には集塵室２３堆積した塵埃の影響を受けにくく、長時間高い吸引力を維持できる。ま
た、この圧縮によって、より多くの塵埃を集塵部２３に蓄積可能になるので、外蓋８を開
けて集塵カップ５をケース体１から取り出し、蓋３０を開放して集塵カップ５に溜まった
塵埃を捨てるという面倒な作業を行う頻度を減らすことができる。
【００２８】
また、「圧縮」キー４６はハンドル部１０付近の操作パネル４４に位置しているため、
ハンドル部１０を握ったままＯＮ／ＯＦＦ操作することができるので、「圧縮モード」へ
の切り替えが煩わしくなく容易に行える。
【００２９】
上術した「開く」という表現は、切り替え弁３６を制御して第１の排気経路２９又は第
２の排気経路３４のどちらか一方の排気経路を完全に開放し、他方を密閉した状態のみを
指しているわけではなく、開いた側の排気経路が主な排気流路となる程度でもよいし、密
閉ではなく多少隙間があったりしてもよい。また、切り替え弁３６は第１の排気経路２９
と第２の排気経路３４を切り替えて開閉する機能だけではなく、第１の排気経路２９と第
２の排気経路３４を流通する吸込風量の比率を調節する機能を有していてもよいし、該調
節機能を有するだけでもよい。
【００３０】
（実施例２）
次に、本発明の第２実施例を示す図８〜図１２に基づいて説明する。
【００３１】
図８は本発明の第２実施例を一部破断して示す吸込ブラシ１３の断面図、図９は吸込ブ
ラシ１３の正面図、図１０は要部の拡大断面図であり、上記した第１実施例を示す構成と
は次の点が異なっている。以下、上記した第１実施例と同一部分には、同一符号を付して
説明を省略し、異なる部分についてのみ説明する。なお、以下、床面に吸込口１２を接近
させ吸込口１２から空気が入り難い状態を「接面状態」と呼び、反対に吸込口１２を床面
から持ち上げ、吸込口１２に空気が入り易い状態を「離面状態」と呼ぶことにする。接面
状態を判断する吸込口は、吸込ブラシ１３に形成された吸込口１２に限定されるものでは
なく、例えば、吸込ブラシ１３を外したホース部９の先端や他の吸込みに供するノズルを
吸込ブラシ１３の代わりに取り付けた状態のノズル先端の開口部も含んでいる。
【００３２】
この第２実施例は、吸込口１２の「接面状態」と「離面状態」とを判断する状態判断手
段として吸込ブラシ１３下方にスイッチ５０を設け、「吸引モード」と「圧縮モード」の
切り替えを自動的に行うような構成としたものである。吸込ブラシ１３は、図８に示すよ
うな中央に設けられた空洞部５１と、該空洞部５１と連通していて床側に面して形成され
回転可能なブラシ部５２を有した吸込口１２と、図９に示すようなシャフト５３の両端に
設けられ吸込ブラシ１３の下面から突出した２つのローラ５４とから主に構成されている
。前記シャフト５３は、吸込ブラシ１３内部に固定された２つの支持部材５５の軸受部５
５ａによって上下方向にのみ移動可能に保持されている。
【００３３】
図１０は、左側のローラ５４周辺を後方から拡大して示す縦断面図であり、ローラ５４
は吸込ブラシ１３の下面に形成された２つの穴部５６から外部に突出しており、空洞部５
１の外壁には下方に向けてスイッチ５０が配設されている。該スイッチ５０は、矩形の格
納部５７と、前記格納部５７に摺動可能に収められた摺動部５８と該摺動部５８の格納部
５７側に設けられたばね状端子５９と格納部５７に設けられた端子６０とから構成されて
いる。摺動部５８は、格納部５７のストッパ５７ａにて抜け出しが防止されている。ここ
で、吸込ブラシ１３を持ち上げた状態では、シャフト５３は軸受部５５ａ下方で支持され
るため前記スイッチ５０の鉛直下方に位置して、ばね状端子５９と端子６０離間し、スイ
ッチ５０はＯＦＦ状態となる。そして、吸込ブラシ１３のローラ５４を床等に接地させ、
「接面状態」となると、シャフト５３が軸受部５５ａを摺動して上昇して摺動部に当接し
、摺動部５８を摺動させ持ち上げる。ばね状端子５９が端子６０に接触した時点でスイッ
チ５０はＯＮ状態となり、摺動部５８は略格納部５７に収まった状態でＯＮ状態は維持さ
れる。
【００３４】
上記した構成の作用について説明するに、駆動装置１５が動作し（ステップ２１）、第
２の排気経路３４が開いている電源ＯＮ状態において（ステップ２２）、吸込ブラシ１３
が床面に対して「接面状態」となると、２つもしくはどちらか片方のローラ５４が接地す
る。すると、吸込部２の自重によって、シャフト５３が軸受部５５ａを摺動して上昇し、
シャフト５３がスイッチ５０の摺動部５８と当接してばね状端子５９を押し上げ、該ばね
状端子５９と端子６０が接触し、スイッチ５０はＯＮ状態になる（ステップ２３）。スイ
ッチ５０がＯＮ状態になると、制御回路４８がギヤドモータ４２を駆動させて、切り替え
弁３６を回動して第１の排気経路２９を開くため（ステップ２４）、電気掃除機は「吸引
モード」となり、ローラ５４が床面から離れると、シャフト５３及びローラ５４の自重に
よってシャフト５３は軸受部５５ａを摺動して下方まで下降するので、ばね状端子５９の
復元力と重力により摺動部５８が突出し、ばね状端子５９と端子６０とが解離するため、
スイッチ５０はＯＦＦ状態となる（スイッチ２５）。すると、制御回路４８は再びギヤド
モータ４２を駆動させ切り替え弁３６を回動し、第２の排気経路３４は開いた状態となり
（ステップ２６）、いわゆる「圧縮モード」となる。
【００３５】
「電源」キー４５が押され電源ＯＦＦ状態になるまで、それぞれの「吸引モード」又は
「圧縮モード」が維持され（ステップ２７，ステップ２９）、「電源」キー４５が押され
ると駆動装置１５を停止して掃除終了となる（ステップ２８）。
【００３６】
また、どちらか一方のローラ５４のみが床面に接地している場合、シャフト５３の片側
のみが軸受部５５ａを摺動して上昇することになるが、このようなときでも、スイッチ５
０がＯＮ状態になるようにばね状端子５９の長さを調節してある。
【００３７】
上記した構成によれば、次の効果を奏する。「接面状態」においては、塵埃を含んだ吸
込風は吸込部２を介して集塵カップ５に導入され、旋回部２２によって分離された塵埃は
集塵部２３に溜まり、空気は旋回部２２の第１の排気口２５を通過して排気される「吸引
モード」となり、「離面状態」になると、「圧縮モード」が自動的に選択され、集塵部２
３に溜まった塵埃を圧縮することができるので、吸引時は溜まった塵埃の影響を受けにく
く、長時間高い吸引力を維持できる。また、この圧縮によって、より多くの塵埃を集塵部
２３に蓄積可能になるので、外蓋８を開けて集塵カップ５をケース体１から取り出し、蓋
３０を開放して集塵カップ５に溜まった塵埃を捨てるという面倒な作業を行う頻度を減ら
すことができる。
【００３８】
なお、吸込口１２の「接面状態」と「離面状態」を判断する方法としては、例えば、発
光部と受光部を設け、所定の波長の電磁波を床面に対して発光部から照射し、床面によっ
て反射された反射光を受光部にて検知することによって、反射波が検知されれば「接面状
態」であり、検知されなければ「離面状態」であると判断できるような構成にしてもよい
し、実施に際して本発明の要旨を逸脱しない範囲で種々変更して実施可能である。
【００３９】
（第３実施例）
次に、本発明の第３実施例を示す図１３〜図１５に基づいて説明する。
【００４０】
図１３〜図１５は本発明の第３実施例を示す縦断面図，図６相当図，及び図７相当図で
あり、上記した第１の実施例とは操作パネル４４に設けた「圧縮」キー４６によって「圧
縮モード」を選択するのではなく、状態判断手段たる圧力センサ６３を用いて吸気風量の
変化を検知することにより、「吸引モード」と「圧縮モード」とを切り替える、切り替え
弁３６の制御を行う構成である点で異なっている。以下、上記第１実施例と同一部分には
、同一符号を付して説明を省略し、異なる構成についてのみ説明する。
【００４１】
図１３及び図１５に示すように、制御回路４８と電気的に接続された圧力センサ６３が
駆動部４内に設けられており、該圧力センサ６３は主排気経路４９に設けられている孔部
６１と樹脂製のチューブ６２によって該チューブ６２の両端を気密状態に保ちながら接続
されている。この圧力センサ６３は、検知した吸気風量に対応した圧力信号を出力し、該
圧力信号を制御回路４８に送り、該圧力信号に基づいて制御回路４８によって切り替え弁
３６を制御するような構成となっている。
【００４２】
図１５のフローチャートを参照して作用について一部省略して説明する。電源のＯＮ状
態、第１実施例において述べた「吸引モード」において、圧力センサ６３が主排気経路４
９内の圧力を検知し、制御回路４８に入力された圧力信号が所定の圧力Ａ以上に対応した
圧力信号であると判断されると（ステップ４３）、制御回路４８はギヤドモータ４２を駆
動し、切り替え弁３６を回動操作させ、第２の排気経路３４を開いた状態にする（ステッ
プ４４）。これによって、第１実施例において述べた「圧縮モード」になり、この状態で
所定の圧力Ｂ以下になり、該圧力Ｂに対応した圧力信号が制御回路４８に入力されると（
ステップ４５）、制御回路４８はギヤドモータ４２を今度は反対側に駆動し、切り替え弁
３６を回動操作させ第１の排気経路２９が開いた状態にする（ステップ４６）。圧力Ａは
、「接面状態」の圧力と「離面状態」の圧力とを識別可能な中間の値を採っている。
【００４３】
「電源」キー４５が押され電源ＯＦＦ状態になるまで、それぞれの「吸引モード」又は
「圧縮モード」が維持され（ステップ４７，ステップ４９）、「電源」キー４５が押され
ると駆動装置１５を停止して掃除終了となる（ステップ４８）。
【００４４】
上記した構成によれば、次の効果を奏する。「接面状態」においては、塵埃を含んだ吸
込風は吸込部２を介して集塵カップ５に導入され、旋回部２２によって分離された塵埃は
集塵部２３に溜まり、空気は旋回部２２の第１の排気口２５を通過して排気される「吸引
モード」となり、「離面状態」になると、「圧縮モード」が自動的に選択され、集塵部２
３に溜まった塵埃を圧縮することができるので、吸引時には溜まった塵埃の影響を受けに
くく、長時間高い吸引力を維持できる。また、この圧縮によって、より多くの塵埃を集塵
部２３に蓄積可能になるので、外蓋８を開けて集塵カップ５をケース体１から取り出し、
蓋３０を開放して集塵カップ５に溜まった塵埃を捨てるという面倒な作業を行う頻度を減
らすことができる。
【００４５】
なお、吸気風量の変化を圧力センサ６３で検知する上記方法以外にも、駆動装置１５の
単位時間当たりの回転数の変化によって吸気風量の変化を検知し、「接面状態」から「離
面状態」になったと判断し、「吸引モード」において回転数が所定値以上になるとギヤド
モータ４２を駆動させることにより切り替え弁３６を回動させ、「圧縮モード」に切り替
え、反対に、再び「接面状態」となり回転数が所定値よりも下がると「吸引モード」に戻
すような構成としてもよい。
【図面の簡単な説明】
【００４６】
【図１】本発明の第１実施例を示す電気掃除機の斜視図
【図２】一部を破断して示す吸引時の縦断側面図
【図３】吸引時以外の図２相当図
【図４】要部の拡大断面図
【図５】操作部の正面図
【図６】電気的構成を示すブロック図
【図７】フローチャート
【図８】本発明の第３実施例を一部破断して示す縦断側面図
【図９】吸込口の正面図
【図１０】要部の拡大断面図
【図１１】図６相当図
【図１２】図７相当図
【図１３】本発明の第２実施例を示す縦断側面図
【図１４】図６相当図
【図１５】図７相当図
【図１６】従来の電気掃除機を示す縦断側面図
【図１７】従来の電気掃除機を示す縦断側面図
【符号の説明】
【００４７】
１  ケース体
３  電動送風機
５  集塵カップ
１２  吸込口
１３  吸込ブラシ
１４  送風ファン
１５  駆動装置
２１，３１  フィルタ
２２  旋回部
２３  集塵部
２５  第１の排気口
２９  第１の排気経路
３２  第２の排気口
３４  第２の排気経路
３６  切り替え弁
４２  ギヤドモータ
４８  制御回路
４９  主排気経路
５０  スイッチ
５３  シャフト
５４  ローラ
５５  支持部材
５５ａ  軸受部
５７  格納部
５８  摺動部
５９  ばね状端子
６０  端子
６３  圧力センサ 
【図１】
2005168996.tif 000003
【図２】
2005168996.tif 000004
【図３】
2005168996.tif 000005
【図４】
2005168996.tif 000006
【図５】
2005168996.tif 000007
【図６】
2005168996.tif 000008
【図７】
2005168996.tif 000009
【図８】
2005168996.tif 000010
【図９】
2005168996.tif 000011
【図１０】
2005168996.tif 000012
【図１１】
2005168996.tif 000013
【図１２】
2005168996.tif 000014
【図１３】
2005168996.tif 000015
【図１４】
2005168996.tif 000016
【図１５】
2005168996.tif 000017
【図１６】
2005168996.tif 000018
【図１７】
2005168996.tif 000019